(57)【要約】【課題】  音響連続停止機能（継続的な音響停止機能）が設定された後であっても、所定の条件が新たに発生した場合には、直ちに音響連続停止機能を解除することの可能な火災報知設備の音響停止装置を提供する。【解決手段】  例えば地区回線Ｌ１から例えば誤報としての火災検知信号が出力されて、本当に音響装置（例えばＢ１）が鳴動してこれを停止させたい状況になったときに、初めて、音響連続停止機能を設定できるようになっており、かつ、音響連続停止機能が設定された後であっても、地区回線Ｌ１〜Ｌｎのうちの複数の地区回線（例えばＬ１とＬ２）から火災検知信号が出力された場合には、直ちに音響連続停止機能を解除する。【選択図】      図１
2010026902.tif 000002
【特許請求の範囲】
【請求項１】
本当に音響装置が鳴動して停止させたい状況になったときに、初めて音響連続停止機能を設定できるようになっている音響停止装置において、音響連続停止機能が設定された後であっても、複数の地区回線から火災検知信号が出力された場合には、直ちに音響連続停止機能を解除することを特徴とする火災報知設備の音響停止装置。
【請求項２】
本当に音響装置が鳴動して停止させたい状況になったときに、初めて音響連続停止機能を設定できるようになっている音響停止装置において、音響連続停止機能が設定された後であっても、新たな地区回線から火災検知信号が出力された場合には、直ちに音響連続停止機能を解除することを特徴とする火災報知設備の音響停止装置。
【請求項３】
請求項１または請求項２記載の火災報知設備の音響停止装置において、前記音響連続停止機能の設定は、必要な時には直ぐに操作可能な位置に配置された手段によってなされるようになっていることを特徴とする火災報知設備の音響停止装置。
【請求項４】
請求項３記載の火災報知設備の音響停止装置において、前記音響連続停止機能の設定は、地区音響一時停止スイッチが一定時間以上操作されることによってなされるようになっていることを特徴とする火災報知設備の音響停止装置。
【請求項５】
請求項１乃至請求項４のいずれか一項に記載の火災報知設備の音響停止装置において、前記設定された音響連続停止機能は、地区音響一時停止スイッチが操作されることによって解除されることを特徴とする火災報知設備の音響停止装置。
【請求項６】
請求項１乃至請求項４のいずれか一項に記載の火災報知設備の音響停止装置において、前記設定された音響連続停止機能は、地区音響一時停止スイッチによる地区音響一時停止の設定時間よりも長い時間を経過後に解除されるように、タイマーで解除されることを特徴とする火災報知設備の音響停止装置。
【請求項７】
請求項１乃至請求項６のいずれか一項に記載の火災報知設備の音響停止装置において、音響連続停止機能が設定されている場合には、音響連続停止機能が設定されている状態が表示部に表示されることを特徴とする火災報知設備の音響停止装置。
【請求項８】
複数の地区回線から火災検知信号が出力された場合には、音響連続停止機能の設定は、禁止されるようになっていることを特徴とする火災報知設備の音響停止装置。
【発明の詳細な説明】
【技術分野】
【０００１】
本発明は、火災報知設備の音響停止装置に関する。
【背景技術】
【０００２】
従来から、火災報知設備の火災受信機には、音響停止装置が設けられている。例えば特許文献１には、火災感知器等の火災検出手段から火災検知信号を受信して、非常ベル（地区音響）等の音響装置が鳴動したときに、その検知信号が感知器の誤作動等によるものであって、火災によるものではないことの確認が取れたならば、停止スイッチによって音響装置の鳴動を停止させるようになっている。すなわち、特許文献１に示されている音響停止装置では、本当に非常ベル（地区音響）等の音響装置が鳴動してこれを停止させたい状況になったときに、初めて音響連続停止機能（継続的な音響停止機能）を設定できるようにして、平常時から事前に設定することはできないようになっている。これにより、音響連続停止機能（継続的な音響停止機能）の安易な乱用を防ぐことができる。
【０００３】
【特許文献１】実開昭５８−１５０１８７号公報
【発明の開示】
【発明が解決しようとする課題】
【０００４】
しかしながら、特許文献１の音響停止装置では、一旦音響連続停止機能（継続的な音響停止機能）に設定すると、受信機をリセットしない限り、音響連続停止機能（継続的な音響停止機能）を解除させることができず、完全な音響停止状態となってしまい、音響停止後に警報を行なわなければならないような状況となっても、警報停止となって、安全上極めて問題となる。
【０００５】
本発明は、本当に非常ベル（地区音響）等の音響装置が鳴動してこれを停止させたい状況になったときに、初めて音響連続停止機能（継続的な音響停止機能）を設定できるようになっている音響停止装置において、音響連続停止機能（継続的な音響停止機能）が設定された後であっても、所定の条件が新たに発生した場合には、直ちに音響連続停止機能（継続的な音響停止機能）を解除することの可能な火災報知設備の音響停止装置を提供することを目的としている。
【課題を解決するための手段】
【０００６】
上記目的を達成するために、請求項１記載の発明は、本当に音響装置が鳴動して停止させたい状況になったときに、初めて音響連続停止機能を設定できるようになっている音響停止装置において、音響連続停止機能が設定された後であっても、複数の地区回線から火災検知信号が出力された場合には、直ちに音響連続停止機能を解除することを特徴としている。
【０００７】
また、請求項２記載の発明は、本当に音響装置が鳴動して停止させたい状況になったときに、初めて音響連続停止機能を設定できるようになっている音響停止装置において、音響連続停止機能が設定された後であっても、新たな地区回線から火災検知信号が出力された場合には、直ちに音響連続停止機能を解除することを特徴としている。
【０００８】
また、請求項３記載の発明は、請求項１または請求項２記載の火災報知設備の音響停止装置において、前記音響連続停止機能の設定は、必要な時には直ぐに操作可能な位置に配置された手段によってなされるようになっていることを特徴としている。
【０００９】
また、請求項４記載の発明は、請求項３記載の火災報知設備の音響停止装置において、前記音響連続停止機能の設定は、地区音響一時停止スイッチが一定時間以上操作されることによってなされるようになっていることを特徴としている。
【００１０】
また、請求項５記載の発明は、請求項１乃至請求項４のいずれか一項に記載の火災報知設備の音響停止装置において、前記設定された音響連続停止機能は、地区音響一時停止スイッチが操作されることによって解除されることを特徴としている。
【００１１】
また、請求項６記載の発明は、請求項１乃至請求項４のいずれか一項に記載の火災報知設備の音響停止装置において、前記設定された音響連続停止機能は、地区音響一時停止スイッチによる地区音響一時停止の設定時間よりも長い時間を経過後に解除されるように、タイマーで解除されることを特徴としている。
【００１２】
また、請求項７記載の発明は、請求項１乃至請求項６のいずれか一項に記載の火災報知設備の音響停止装置において、音響連続停止機能が設定されている場合には、音響連続停止機能が設定されている状態が表示部に表示されることを特徴としている。
【００１３】
また、請求項８記載の発明は、複数の地区回線から火災検知信号が出力された場合には、音響連続停止機能の設定は、禁止されるようになっていることを特徴としている。
【発明の効果】
【００１４】
請求項１乃至請求項７記載の発明によれば、本当に音響装置が鳴動してこれを停止させたい状況になったときに、初めて音響連続停止機能（継続的な音響停止機能）を設定できるようになっている音響停止装置において、音響連続停止機能（継続的な音響停止機能）が設定された後であっても、複数の地区回線から火災検知信号が出力された場合には、直ちに音響連続停止機能（継続的な音響停止機能）を解除するか、あるいは、音響連続停止機能（継続的な音響停止機能）が設定された後であっても、新たな地区回線から火災検知信号が出力された場合には、直ちに音響連続停止機能（継続的な音響停止機能）を解除するので、音響連続停止機能（継続的な音響停止機能）が設定された後であっても、所定の条件が新たに発生した場合には、直ちに音響連続停止機能（継続的な音響停止機能）を解除することができる。
【発明を実施するための最良の形態】
【００１５】
以下、本発明を実施するための最良の形態を図面に基づいて説明する。
【００１６】
従来、火災報知設備の火災受信機に設けられている音響停止装置として、火災感知器等の火災検出手段から火災検知信号を受信して、非常ベル（地区音響）等の音響装置が鳴動したときに、その検知信号が感知器の誤作動等によるものであって、火災によるものではないことの確認が取れたならば、受信機の操作部（操作パネル）に設けられた地区音響一時停止スイッチを操作して音響装置の鳴動を一時停止させるものが知られている。
【００１７】
この地区音響一時停止スイッチによる一時停止は、無警報による逃げ遅れ等を防ぐ目的から継続的な停止はできないようになっていて、所定時間（２分から１０分）経過すると、停止状態が解除され、音響装置が鳴動可能状態へと自動的に復旧するようになっている。
【００１８】
従って、火災感知器等の火災検出手段からの火災検知信号が火災に基づくものであれば、このような作動でよいが、火災検知信号が火災感知器等の火災検出手段の誤作動に基づくものであったときは、誤作動の原因を取り除かない限り、地区音響一時停止スイッチを操作しても所定時間（２分から１０分）経過すると、再び音響装置が鳴動してしまい、これも再度地区音響一時停止スイッチを操作しない限り停止することはできず、しかも継続的な停止はできない。
【００１９】
これが火災報知設備の設置された場所がオフィスビルのような、火災感知器の設置場所に比較的自由に人が立ち入ることができ、夜間は人のいない場所に設置されているような場合には、このように地区音響一時停止スイッチを操作して所定時間（２分から１０分）経過後に音響装置が再び鳴動してしまったとしても、誤報原因の除去は比較的容易であるし、たとえ人のいない夜間に音響装置が鳴動し続けても、混乱を引き起こすことはあまりない。
【００２０】
これに対し、火災報知設備がマンション等の共同住宅のような、火災感知器の設置場所に容易には立ち入ることができず、一日中人がいる場所に設置されているような場合には、誤報原因の除去は極めて困難であり、また、上記のように地区音響一時停止スイッチを操作して所定時間（２分から１０分）経過後に音響装置が再び鳴動してしまうと、特に住人の寝静まった夜間においては音響装置が鳴動し続けることで、大変な混乱を引き起こすこととなる。
【００２１】
だからといって、音響停止装置の音響停止機能を拡充すると、火災が発生した場合に、無警報による逃げ遅れ等が起こる原因となってしまう。
【００２２】
前述した特許文献１は、このような問題を解決するもので、前述したように、本当に非常ベル（地区音響）等の音響装置が鳴動してこれを停止させたい状況になったときに、初めて音響連続停止機能（継続的な音響停止機能）を設定できるようにして、音響連続停止機能（継続的な音響停止機能）を平常時から事前に設定することはできないようになっている。これにより、継続的な音響停止機能の安易な乱用を防ぐことができる。
【００２３】
しかしながら、特許文献１の音響停止装置では、一旦音響連続停止機能（継続的な音響停止機能）に設定すると、受信機をリセットしない限り、音響連続停止機能（継続的な音響停止機能）を解除させることができず、完全な音響停止状態となってしまい、音響連続停止後に警報を行なわなければならないような状況となっても、警報停止となって、安全上極めて問題となる。
【００２４】
そこで、本発明は、本当に非常ベル（地区音響）等の音響装置が鳴動してこれを停止させたい状況になったときに、初めて、音響連続停止機能（継続的な音響停止機能）を設定できるようになっている音響停止装置において、音響連続停止機能（継続的な音響停止機能）が設定された後であっても、所定の条件が新たに発生した場合には、直ちに音響連続停止機能（継続的な音響停止機能）を解除するようにしたものである。
【００２５】
図１は本発明に係る火災報知設備の構成例を示す図である。図１の火災報知設備は、火災受信機１と、火災受信機１から各地区Ａ１〜Ａｎに延びている地区回線Ｌ１〜Ｌｎと、地区音響（地区ベル、音響ベル）Ｂ１〜Ｂｎとを有している。
【００２６】
ここで、各地区回線Ｌ１〜Ｌｎには、火災感知器２が接続されており、ある地区回線、例えばＬ１の火災感知器２から火災検知信号が出力されると、この火災検知信号は、地区回線Ｌ１を介して火災受信機１に通知されるようになっている。
【００２７】
また、火災受信機１は、全体を制御する制御部４と、主音響部８と、操作部１０と、表示部２０とを有している。
【００２８】
ここで、制御部４には、全体の制御機能の他に、火災検出部３と、地区音響（地区ベル、音響ベル）Ｂ１〜Ｂｎを制御する地区音響制御部５と、タイマー６と、地区音響連続停止機能がＯＮのときにこれを保持する地区音響連続停止機能ＯＮ保持部（メモリ）７とが設けられている。
【００２９】
また、操作部１０は例えば操作パネル（火災受信機１の内部を操作することなく、火災受信機１の表から操作可能なパネル）であって、操作部１０には、主音響停止スイッチ１１と、地区音響一時停止スイッチ１２と、復旧スイッチ１３と、火災入力・火災断定スイッチ１４とが設けられている。
【００３０】
なお、本発明における火災報知設備の音響停止装置は、実際には、火災受信機１により実現される。
【００３１】
図１に示す火災報知設備において、本発明の第１の形態は、例えば地区回線Ｌ１から例えば誤報としての火災検知信号が出力されて、本当に音響装置（地区音響，例えばＢ１）が鳴動してこれを停止させたい状況になったときに、初めて、音響連続停止機能（継続的な音響停止機能）を設定できるようになっており（すなわち、平常時から事前に音響連続停止機能（継続的な音響停止機能）を設定することはできないようになっており）、かつ、音響連続停止機能（継続的な音響停止機能）が設定された後であっても、地区回線Ｌ１〜Ｌｎのうちの複数の地区回線（例えばＬ１とＬ２）から火災検知信号が出力された場合には、直ちに音響連続停止機能（継続的な音響停止機能）を解除することを特徴としている。なお、この場合には、地区回線Ｌ１に対応した地区音響Ｂ１の鳴動を復旧するとともに、地区回線Ｌ２に対応した地区音響Ｂ２をさらに鳴動させるようになっている。
【００３２】
また、図１に示す火災報知設備において、本発明の第２の形態は、例えば地区回線Ｌ１から例えば誤報としての火災検知信号が出力されて、本当に音響装置（地区音響，例えばＢ１）が鳴動してこれを停止させたい状況になったときに、初めて、音響連続停止機能（継続的な音響停止機能）を設定できるようになっており（すなわち、平常時から事前に音響連続停止機能（継続的な音響停止機能）を設定することはできないようになっており）、かつ、音響連続停止機能（継続的な音響停止機能）が設定された後であっても、新たな地区回線（例えばＬ３）から火災検知信号が出力された場合には、直ちに音響連続停止機能（継続的な音響停止機能）を解除することを特徴としている。なお、この場合には、地区回線Ｌ１に対応した地区音響Ｂ１の鳴動を復旧するとともに、地区回線Ｌ３に対応した地区音響Ｂ３をさらに鳴動させるようになっている。
【００３３】
上記第１または第２の形態において、前記音響連続停止機能（継続的な音響停止機能）の設定は、必要な時には直ぐに操作可能な位置に配置された手段（具体的には、例えば操作部１０の地区音響一時停止スイッチ１２が例えば一定時間（例えば３秒）以上押されること）によってなされるようになっている。すなわち、例えば地区音響一時停止スイッチ１２が例えば一定時間（例えば３秒）以上押されることによって制御部４の地区音響制御部５により、地区音響連続停止機能ＯＮ保持部（メモリ）７に地区音響連続停止機能がＯＮであることが保持されるようになっている。
【００３４】
また、上記第１または第２の形態において、前記設定された音響連続停止機能（継続的な音響停止機能）は、操作部１０の地区音響一時停止スイッチ１２が操作されることによって解除されるようになっている。
【００３５】
あるいは、前記設定された音響連続停止機能（継続的な音響停止機能）は、地区音響一時停止スイッチ１２による地区音響一時停止の設定時間（例えば２分から１０分程度）よりも長い時間（例えば数時間）を経過後に解除されるように、タイマー６で解除されるようになっている。
【００３６】
あるいは、前記設定された音響連続停止機能（継続的な音響停止機能）は、火災入力・火災断定スイッチ１４、または、復旧スイッチ１３が操作されることによって解除されるようになっている。
【００３７】
また、上記第１または第２の形態において、音響連続停止機能（継続的な音響停止機能）が設定されている場合には、音響連続停止機能（継続的な音響停止機能）が設定されている状態が表示部２０に表示されるようになっている。
【００３８】
このように、上記第１の形態では、本当に音響装置が鳴動してこれを停止させたい状況になったときに、初めて音響連続停止機能（継続的な音響停止機能）を設定できるようになっており、かつ、音響連続停止機能（継続的な音響停止機能）が設定された後であっても、複数の地区回線から火災検知信号が出力された場合には、直ちに音響連続停止機能（継続的な音響停止機能）を解除するので、継続的な音響停止後に警報を行なわなければならないような状況となっても警報停止となる事態を防止し、警報停止の解除により、警報（地区音響の鳴動）が復旧され、異常を報知することができる。
【００３９】
また、上記第２の形態では、本当に音響装置が鳴動してこれを停止させたい状況になったときに、初めて音響連続停止機能（継続的な音響停止機能）を設定できるようになっており、かつ、音響連続停止機能（継続的な音響停止機能）が設定された後であっても、新たな地区回線から火災検知信号が出力された場合には、直ちに音響連続停止機能（継続的な音響停止機能）を解除するので、継続的な音響停止後に警報を行なわなければならないような状況となっても警報停止となる事態を防止し、警報停止の解除により、警報（地区音響の鳴動）が復旧され、異常を報知することができる。
【００４０】
なお、上記第１または第２の形態では、当初、所定の条件が満たされるときに音響連続停止機能（継続的な音響停止機能）を設定できる状態にあることを前提としているが、複数の地区回線から火災検知信号が出力された場合等には、音響連続停止機能（継続的な音響停止機能）の設定は禁止される。
【００４１】
次に、本発明における火災報知設備の音響停止装置の動作、実際には、火災受信機１の動作を、図２のフローチャートを用いて説明する。
【００４２】
図２を参照すると、地区音響（例えばＢ１）が鳴動したとき（ステップＳ１）、地区音響一時停止スイッチ１２が押されたか否かを判断する（ステップＳ２）。地区音響一時停止スイッチ１２が押されたときには、さらに、地区音響一時停止スイッチ１２が一定時間（例えば３秒）以上押されたか否かを判断する（ステップＳ３）。この結果、地区音響一時停止スイッチ１２が押されたが、一定時間（例えば３秒）以上は押されていない場合には、地区音響一時停止処理（すなわち、地区音響を例えば２分から１０分程度の間、一時停止する処理）を行なう（ステップＳ１２）。
【００４３】
これに対し、ステップＳ３において、地区音響一時停止スイッチ１２が一定時間（例えば３秒）以上押されたと判断されたときには、音響連続停止機能（継続的な音響停止機能）をＯＮにする（設定する）（ステップＳ４）。そして、音響連続停止機能（継続的な音響停止機能）が設定されていることが表示部２０に表示される（ステップＳ５）。
【００４４】
このように、音響連続停止機能（継続的な音響停止機能）が設定されると、地区音響は、以下の所定の条件が新たに発生するまでは、継続して停止される。換言すると、音響連続停止機能（継続的な音響停止機能）が設定された後であっても、以下の所定の条件が新たに発生した場合には、直ちに音響連続停止機能（継続的な音響停止機能）は解除される（地区音響の停止が解除される）。
【００４５】
すなわち、音響連続停止機能（継続的な音響停止機能）が設定された後、複数の地区回線から火災検知信号が火災受信機１に入力されたか否かを判断する（ステップＳ６）。この結果、複数の地区回線から火災検知信号が火災受信機１に入力されたときには、音響連続停止機能（継続的な音響停止機能）をＯＦＦにする（解除する）（ステップＳ１１）。
【００４６】
これに対し、ステップＳ６において、複数の地区回線から火災検知信号が火災受信機１に入力されなかったときには、新たな地区回線から火災検知信号が火災受信機１に入力されたか否かを判断する（ステップＳ７）。この結果、新たな地区回線から火災検知信号が火災受信機１に入力されたときには、音響連続停止機能（継続的な音響停止機能）をＯＦＦにする（解除する）（ステップＳ１１）。
【００４７】
これに対し、ステップＳ７において、新たな地区回線から火災検知信号が火災受信機１に入力されなかったときには、地区音響一時停止スイッチ１２が押されたか否かを判断する（ステップＳ８）。この結果、地区音響一時停止スイッチ１２が押されたときには、音響連続停止機能（継続的な音響停止機能）をＯＦＦにする（解除する）（ステップＳ１１）。
【００４８】
これに対し、ステップＳ８において、地区音響一時停止スイッチ１２が押されなかったときには、タイマー６から出力があったか否かを判断する（ステップＳ９）。この結果、タイマー６から出力があったときには、音響連続停止機能（継続的な音響停止機能）をＯＦＦにする（解除する）（ステップＳ１１）。
【００４９】
これに対し、ステップＳ９において、タイマー６から出力がなかったときには、火災入力・火災断定スイッチ１４、または、復旧スイッチ１３が押されたか否かを判断する（ステップＳ１０）。この結果、火災入力・火災断定スイッチ１４、または、復旧スイッチ１３が押されたときには、音響連続停止機能（継続的な音響停止機能）をＯＦＦにする（解除する）（ステップＳ１１）。
【００５０】
これに対し、ステップＳ１０において、火災入力・火災断定スイッチ１４、または、復旧スイッチ１３が押されなかったときには、再びステップＳ４に戻り、ステップＳ４〜Ｓ１０の処理を繰り返し行なう。
【００５１】
このようにして、本発明では、音響連続停止機能（継続的な音響停止機能）が設定された後は、地区音響は、所定の条件が新たに発生するまでは継続して停止され、所定の条件が新たに発生した場合には、直ちに音響連続停止機能（継続的な音響停止機能）は解除される（地区音響の停止が解除される）。これにより、特許文献１の音響停止装置におけるような問題、すなわち、一旦音響連続停止機能（継続的な音響停止機能）に設定すると、受信機をリセットしない限り、音響連続停止機能（継続的な音響停止機能）を解除させることができず、完全な音響停止状態となってしまうという安全上の問題を解決することができる。
【産業上の利用可能性】
【００５２】
本発明は、火災報知システム等に利用可能である。
【図面の簡単な説明】
【００５３】
【図１】本発明に係る火災報知設備の構成例を示す図である。
【図２】本発明における火災報知設備の音響停止装置の動作を説明するためのフローチャートである。
【符号の説明】
【００５４】
１            火災受信機
２            火災感知器
３            火災検出部
４            制御部
５            地区音響制御部
６            タイマー
７            地区音響連続停止機能ＯＮ保持部
１０          操作部
１２          地区音響一時停止スイッチ
１３          復旧スイッチ
１４          火災入力・火災断定スイッチ
２０          表示部
Ａ１〜Ａｎ    地区
Ｌ１〜Ｌｎ    地区回線
Ｂ１〜Ｂｎ    地区音響
【図１】
2010026902.tif 000003
【図２】
2010026902.tif 000004